(57)【特許請求の範囲】
【請求項１】
ケース体と、
このケース体内に収容された枠体と、
この枠体に配設され、ディスクを回転するディスク回転駆動手段、前記ディスクに記録された情報を再生する再生手段およびこの再生手段を前記ディスクに対して相対的に移動させる移動手段とを備えた本体部と、
この本体部の動作を制御する発熱部材を有し、前記ケース体内に前記本体部を収容する機械室および外気が流通可能な風路室を区画し前記発熱部材が前記風路室に臨む状態に配設された回路基板と、前記ケース体内に吸気側が前記風路室に連通して配設された冷却ファンとを具備し、
前記冷却ファンは、枠体に配設され、
前記回路基板は、前記発熱部材の位置より前記冷却ファンの吸気側に近い位置に開口形成され冷却ファンの吸気側を前記風路室に連通させる貫通孔を有した
たことを特徴としたディスク装置。
【請求項２】
請求項１に記載のディスク装置において、
枠体は、本体部を支持する支持リブと、この支持リブに連続して設けられ先端縁が回路基板に密着して冷却ファンの吸気側および前記回路基板の貫通孔を本体部と隔離して囲むダクト部とを備えたことを特徴としたディスク装置。
【請求項３】
請求項１または２に記載のディスク装置において、
回路基板およびケース体の内面間に風路室を区画する状態に介在され貫通孔および発熱部材を囲む絶縁性を有した軟質部材を具備したことを特徴としたディスク装置。
【発明の詳細な説明】
【０００１】
【発明の属する技術分野】
本発明は、ケース体内に本体部および回路基板が配設されたディスク装置に関する。
【０００２】
【背景技術】
従来、例えばＤＶＤ（Digital Versatile Disk）やＣＤ（Compact Disc）などの光ディスクを再生あるいは記録・再生するディスク装置が広く利用されている。このティスク装置としては、例えば図６に示すような構成が知られている。
【０００３】
この図６に示すディスク装置１０１は、金属製の一面が開口する略箱状のケース体１０２を有している。このケース体１０２内には、略四角枠状の剛性を有した合成樹脂製の枠体１０３が設けられている。この枠体１０３には、光ディスクを回転させるディスク回転駆動手段１０４と、光ディスクに情報を記録あるいは記録された情報を再生する光センサを有した再生手段１０５と、この再生手段１０５を光ディスクに対して相対的に移動させる図示しない移動手段とを有した本体部１０６が配設されている。また、枠体１０３には、光ディスクを載置して開口するケース体１０２の一面から進退可能に移動する図示しないディスクトレイが配設されている。さらに、枠体１０３には、冷却ファン１０８が設けられている。
【０００４】
また、ケース体１０２内には、本体部１０６の動作を制御する各種電気部品１１１を有する制御回路が搭載された回路基板１１２が配設されている。この回路基板１１２は、枠体１０３の一面である本体部１０６が配設された側と反対側の下面に、枠体１０３の下面の略全面を覆う状態で取り付けられている。また、回路基板１１２は、特に発熱量の多い電気部品１１１が配設された面がケース体１０２の内面に所定の間隙を介して対向する状態に配設されている。なお、回路基板１１２は、枠体１０３の下面にも所定の間隙を介して対向する状態に配設される。また、ケース体１０２の内面には、特に発熱量の多い電気部品１１１に密着するシリコンゴムなどの熱伝導性および絶縁性を有した放熱部材１１６が取り付けられている。
【０００５】
そして、回路基板１１２の発熱する電気部品１１１は、放熱部材１１６を介してケース体１０２に熱が伝達されて冷却される。さらに、冷却ファン１０８の駆動により、ケース体１０２の隙間から回路基板１１２と枠体１０３との間を通って冷却ファン１０８に吸気され、回路基板１１２と熱交換した空気は排気風としてケース体１０２外に排気され、回路基板１１２が冷却される。なお、冷却ファン１０８の駆動により流通する空気は、枠体１０３に設けられた覆い板１０３ａにより隔離された本体部１０６に流入することはなく、空気に含まれる塵埃にて本体部１０６の動作に支障をきたすことが防止される。
【０００６】
【発明が解決しようとする課題】
しかしながら、上記図６に示すような構造のディスク装置１０１では、前述したように、特に発熱量の多い電気部品１１１は、積極的にケース体１０２に放熱する必要があるので、回路基板１１２のケース体１０２に対向する下側に配置されるため、回路基板１１２の枠体１０３に対向する上側を流通する外気が効率よく電気部品１１１に接触せずに流通し、電気部品１１１を効率よく冷却できない。したがって、特に発熱量の多い電気部品１１１では、十分に冷却されず、ディスク装置１０１内の温度が上昇し、本体部１０６やディスクなどのドライブ性能が熱負荷にさらされ、ドライブ性能の温度に対する許容が減少するおそれがある問題がある。
【０００７】
本発明は、このような問題点に鑑みて、発熱部材の冷却性を向上して回路基板を効率よく冷却できるディスク装置を提供することを目的とする。
【０００８】
【課題を解決するための手段】
本発明は、上記目的を達成するために、以下の構成を採用する。
【０００９】
請求項１に記載のディスク装置は、ケース体と、このケース体内に収容された枠体と、この枠体に配設され、ディスクを回転するディスク回転駆動手段、前記ディスクに記録された情報を再生する再生手段およびこの再生手段を前記ディスクに対して相対的に移動させる移動手段とを備えた本体部と、この本体部の動作を制御する発熱部材を有し、前記ケース体内に前記本体部を収容する機械室および外気が流通可能な風路室を区画し前記発熱部材が前記風路室に臨む状態に配設された回路基板と、前記ケース体内に吸気側が前記風路室に連通して配設された冷却ファンとを具備し、前記冷却ファンは、枠体に配設され、前記回路基板は、前記発熱部材の位置より前記冷却ファンの吸気側に近い位置に開口形成され冷却ファンの吸気側を前記風路室に連通させる貫通孔を有したたことを特徴とする。
【００１０】
この発明では、枠体に配設された本体部の動作を制御する発熱部材を有した回路基板を、本体部を収容する機械室と冷却ファンの吸気側が連通し外気が流通可能な風路室とをケース体内に区画して発熱部材が風路室に臨む状態に配設する。このことにより、本体部側に塵埃が侵入することを防止しつつ、回路基板の発熱部材が冷却ファンの駆動にて吸気され風路室を流通する外気に接触して効率よく冷却され、回路基板の冷却効率が向上する。また、回路基板に、発熱部材の位置より枠体に配設した冷却ファンの吸気側に近い位置に、冷却ファンの吸気側を風路室に連通させる貫通孔を開口形成する。このことにより、冷却ファンが枠体とともケース体内に組み付けられ、組立製造性が向上するとともに、確実に冷却ファンの駆動により吸気された外気が発熱部材に接触する状態が得られる。
【００１７】
請求項２に記載の発明は、請求項１に記載のディスク装置において、枠体は、本体部を支持する支持リブと、この支持リブに連続して設けられ先端縁が回路基板に密着して冷却ファンの吸気側および前記回路基板の貫通孔を本体部と隔離して囲むダクト部とを備えたことを特徴とした。
【００１８】
この発明では、枠体の本体部を支持する支持リブに連続して、先端縁が回路基板に密着して冷却ファンの吸気側および回路基板の貫通孔を本体部と隔離して囲むダクト部を設ける。このことにより、冷却ファンの駆動により吸気側に大気圧に対する負圧が効率よく発生し、外気が風路室から貫通孔を介して良好に冷却ファンに吸気され、発熱部材が効率よく冷却される。
【００１９】
請求項３に記載のディスク装置は、請求項１または２に記載のディスク装置において、回路基板およびケース体の内面間に風路室を区画する状態に介在され貫通孔および発熱部材を囲む絶縁性を有した軟質部材を具備したことを特徴とする。
【００２０】
この発明では、回路基板とケース体の内面との間に風路室を区画する状態に、貫通孔および発熱部材を囲む状態で絶縁性を有した軟質部材を設ける。このことにより、冷却ファンの駆動により吸気される外気と発熱部材との接触効率が向上し、発熱部材の冷却効率が向上する。
【００２１】
【発明の実施の形態】
以下、本発明の一実施の形態を図面に基づいて説明する。
【００２２】
〔ディスク装置の構造〕
図１は、本実施の形態のディスク装置を示す分解斜視図である。このディスク装置１は、金属製のケース体２を有している。このケース体２は、下面および前面が２面に亘って開口する上ケース３と、この上ケース３の下面を閉塞する下ケース４と、上ケース３の前面を閉塞する化粧板５とを有している。
【００２３】
そして、上ケース３は、図１および図４に示すように、長方形平板状の天板部３ａと、天板部３ａの長手方向の両側縁に略垂直に折曲形成された側板部３ｂと、天板部３ａの長手方向の一端縁に側板部３ｂと同方向に略垂直に折曲形成された端板部３ｃとにて、下面および前面を開口して形成されている。この上ケース３の側板部３ｂの下端縁には、複数箇所、例えば２箇所内方に向けて折曲形成され図示しないねじ孔が穿設された取付片部３ｄが設けられている。そして、端板部３ｃの略中央には、略スリット上の複数の排気口３ｅが設けられている。
【００２４】
また、下ケース４は、上ケース３の天板部３ａと略同形状の長方形平板状に形成されている。この下ケース４には、天板部３ａの取付片部３ｄに対応して上方に向けて膨出するように屈曲されねじ孔４ａが穿設された取付ダボ４ｂが設けられている。
【００２５】
さらに、化粧板５は、例えばアクリロニトリル−ブタジエン−スチレン（ＡＢＳ；Acrylonitrile-Butadiene-Styrene）などの合成樹脂製の略板状に形成されている。この化粧板５には、一面に略垂直に突出され、先端部にそれぞれ上ケース３の側板部３ｂおよび下ケース４に係脱可能に係合する図示しない係合爪部が突設されている。また、化粧板５には、長手方向となる左右方向に長手状の窓部５ａが開口形成されている。さらに、化粧板５には、スイッチ操作部５ｂと、動作確認窓５ｃとが設けられている。
【００２６】
また、ケース体２内には、剛性および絶縁性を有した例えばＡＢＳなどの合成樹脂製の枠体１１が配設されている。この枠体１１は、図１ないし図４に示すように、上ケース３の側板部３ｂの内面に密着する側面部１１ａと、上ケース３の端板部３ｃの内面に密着する端面部１１ｂと、側面部１１ａおよび端面部１１ｂの内面側に内方に向けて突出する支持リブ１１ｃと、側面部１１ａの端面部１１ｂと反対側の端部に架橋するように設けられた開閉駆動配設部１１ｄとを有し、軸方向の両端面を開口する略四角枠状に形成されている。また、枠体１１の側面部１１ａには、上ケース３の取付片部３ｄおよび下ケース４の取付ダボ４ｂ間に挾持されてねじ止めされる取付リブ部１１ｅが設けられている。
【００２７】
さらに、枠体１１には、図１ないし図４に示すように、ダクト部１２が設けられている。このダクト部１２は、端面部１１ｂの外面側略中央に向けて凹状のダクト凹部１２ａと、このダクト凹部１２ａに連通し、端面部１１ｂから突出する支持リブ１１ｃの下面側に一体的に連続して突設されたダクトフード部１２ｂとを有している。
【００２８】
そして、この枠体１１には、端面部１１ｂのダクト凹部１２ａに位置して冷却ファン１３が配設されている。この冷却ファン１３は、ダクト凹部１２ａの開口縁から突設されたリブ１４により支持され、吸気側がダクト凹部１２ａに略気密に連通する状態で配設される。
【００２９】
また、この枠体１１には、本体部２０が配設されている。この本体部２０、例えば金属製の平板枠状に形成された台座部２１を有している。この台座部２１は、図１および図２に示すように、枠体１１の端面部１１ｂから突出する支持リブ１１ｃに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１１の側面部１１ａから突出する支持リブ１１ｃに回動可能に軸支される一対の回動腕部２２ｂとを有している。そして、台座部２１は、回動案内部２２により、回動が案内される。
【００３０】
さらに、台座部２１には、回動する一縁側に位置してディスク回転駆動手段２５が配設されている。このディスク回転駆動手段２５は、図１、図２および図４に示すように、例えばスピンドルモータなどの回転用電動モータ２６と、この回転用電動モータ２６の出力軸２６ａに一体的に設けられたターンテーブル２７とを有している。このターンテーブル２７は、光ディスク２８の中心に開口形成された軸孔２８ａに嵌挿する略円柱状の回転軸２７ａと、この回転軸２７ａの外周面にフランジ状に突設され光ディスク２８の軸孔２８ａ周縁が載置される鍔部２７ｂとを有している。そして、ターンテーブル２７の回転軸２７ａの先端部には、磁石２９が埋設されている。
【００３１】
また、台座部２１には、移動手段３１が配設されている。この移動手段３１は、一対のガイドシャフト３２および移動用電動モータ３３を備えている。そして、一対のガイドシャフト３２は、台座部２１の軸支された他縁から回動側の一縁へ向けた方向に軸方向を有して配設されている。さらに、移動用電動モータ３３は、出力軸３３ａの軸方向がガイドシャフト３２の軸方向に沿う状態で配設されている。この移動用電動モータ３３の出力軸３３ａの外周面には、螺旋状に図示しない係合溝が設けられている。
【００３２】
さらに、移動手段３１には、再生手段４１が配設されている。この再生手段４１は、一対のガイドシャフト３２に架橋する状態で保持された移動保持部４２を有している。この移動保持部４２には、ガイドシャフト３２を移動可能に嵌挿する保持部４３と移動用電動モータ３３の出力軸３３ａの係合溝に係合する図示しない移動規制爪部が設けられている。また、再生手段４１の移動保持部４２には、図示しない光源と、この光源からの光を収束するレンズ４５と、光ディスク２８から反射された光を検出する図示しない光センサとが配設されている。
【００３３】
また、枠体１１には、図１に示すように、例えば金属板状に形成され、側面部１１ａ間に架橋する状態でねじにて固定される回転子支持部材５１が設けられている。この回転子支持部材５１には、略中央にディスク回転駆動手段２５のターンテーブル２７に対向する位置に上方に向けて凹状の支持凹部５２が設けられている。この支持凹部５２の略中央には、支持孔５３が開口形成されている。この回転子支持部材５１の支持凹部５２には、回転子５５が回転可能に載置されている。この回転子５５は、略円盤状で、外周縁が支持孔５３の周縁に係合可能に形成されている。また、この回転子５５には例えば金属板などの図示しない磁性材料が一体的に取り付けられ、回転子５５はターンテーブル２７の磁石２９の磁力にて光ディスク２８をターンテーブル２７と挾持する。
【００３４】
一方、枠体１１には、この枠体１１の内側に支持リブ１１ｃの上方側で水平方向に進退可能に移動するディスクトレイ６１が配設されている。このディスクトレイ６１は、例えば合成樹脂の板状に形成され、本体部２０のディスク回転駆動手段２５および再生手段４１に対応する部分が開口形成された略長方形板状のトレイ部６２を有している。このトレイ部６２の長手方向の一端側には、上方に向けて拡開する円形凹状で光ディスク２８が載置される載置凹部６２ａが設けられている。また、このトレイ部６２の長手方向の一縁には、化粧板５と同材質にて形成され、ケース体２の化粧板５の窓部５ａを閉塞する長手板状の窓閉塞板部６５が着脱可能に取り付けられている。
【００３５】
さらに、枠体１１には、開閉駆動配設部１１ｄに位置して開閉駆動手段７１が配設されている。この開閉駆動手段７１は、互いに係合して開閉駆動配設部１１ｄに回転自在に軸支された駆動伝達プーリ７２、この駆動伝達プーリ７２に係合する駆動伝達ギヤ７３、およびこの駆動伝達ギヤ７３に係合するとともにディスクトレイ６１に係合する移動ギヤ７４を有している。また、開閉駆動手段７１には、出入用電動モータ７５を備えている。この出入用電動モータ７５の出力軸７５ａには、プーリ７６が一体的に設けられている。このプーリ７６と駆動伝達プーリ７２とには無端ベルト７７が掛け渡され、出入用電動モータ７５の駆動により、プーリ７６、駆動伝達プーリ７２、駆動伝達ギヤ７３および移動ギヤ７４が回転し、ディスクトレイ６１が移動される。
【００３６】
また、開閉駆動手段７１は、枠体１１の開閉駆動配設部１１ｄに側面部１１ａの対向方向に沿って移動可能に配設された移動カム７８を有している。この移動カム７８は、台座部２１に一体的に取り付けられた回動案内部２２に係合するとともに、駆動伝達ギヤ７３に係合し、出入用電動モータ７５の駆動にて駆動伝達ギヤ７３が回転すると、移動カム７８が移動して台座部２１を上下方向に回動させる。なお、移動カム７８は、ディスクトレイ６１が後退して枠体１１内に位置する状態で台座部２１を上方に回動させ、ディスクトレイ６１が進退移動する際には、台座部２１が下方に回動されてディスクトレイ６１と干渉しないようになっている。
【００３７】
そして、上述したディスク回転駆動手段２５、移動手段３１、再生手段４１および開閉駆動手段７１により、本体部２０が構成される。
【００３８】
また、枠体１１には、図１および図４に示すように、回路基板８１が取り付けられている。この回路基板８１は、枠体１１に設けられた図示しない基板取付爪部により係脱可能に取り付けられる。回路基板８１は、ケース体２の下ケース４と略同寸法の平板状で、枠体１１の下面を閉塞して本体部２０を覆うように取り付けられる。この回路基板８１には、本体部２０の動作を制御する発熱部材としての電気部品８２を有した制御回路が搭載されている。なお、回路基板８１は、枠体１１に取り付けられた状態で、特に発熱量が多い電気部品８２が本体部２０とは反対側のケース体２の下ケース４の内面に対向する状態で取り付けられる。すなわち、回路基板８１は、枠体１１に取り付けられた状態で、ケース体２内に、上方に本体部２０が配設された枠体１１が収容される機械室２ａが区画形成されるとともに、下方に回路基板８１と下ケース４の内面との間の間隙で電気部品８２が臨む風路室２ｂが区画形成される。
【００３９】
さらに、回路基板８１は、枠体１１に取り付けられた状態で、図４に示すように、枠体１１のダクト部１２のダクトフード部１２ｂの先端縁である周縁が回路基板８１に略気密に密着する状態となる。そして、回路基板８１には、貫通孔８３が設けられている。この貫通孔８３は、図３および図４に示すように、ダクト部１２のダクトフード部１２ｂに囲まれる位置に設けられ、回路基板８１が枠体１１に取り付けられた状態で、発熱量が比較的に多い電気部品８２より貫通孔８３が冷却ファン１３の吸気側に近い位置である外気の流通方向の下流側となる。この貫通孔８３により、冷却ファン１３の吸気側は、ダクト部１２および貫通孔８３を介して風路室２ｂに連通する。
【００４０】
また、回路基板８１には、図示しない電源線や外部の各種電気機械との信号を送受信するケーブルなどが着脱可能に接続されるコネクタ部８５が設けられている。このコネクタ部８５は、枠体１１の端面部１１ｂの外面側に位置する状態で、ケース体２から外部に臨む状態で配設されている。さらに、回路基板８１には、開閉駆動手段７１の出入用電動モータ７５が特に発熱量が多い電気部品８２とは反対側である上面に一体的に取り付けられている。なお、図１には、説明の都合上、開閉駆動手段７１の出入用電動モータ７５と回路基板８１とを分離して記載してある。
【００４１】
一方、ケース体２の下ケース４の内面には、回路基板８１の電気部品８２に対応する位置に、例えばシリコンゴムなどの熱伝導性、絶縁性および弾力性を有した放熱部材９１が取り付けられている。さらに、下ケース４の内面には、例えば発泡ウレタンゴムなどの絶縁性および弾力性を有した軟質部材９２が取り付けられている。この軟質部材９２は、風路室２ｂを区画する状態に回路基板８１と下ケース４との間に介在され、回路基板８１の貫通孔８３と特に発熱量が多い電気部品８２とを覆う状態に設けられている。
【００４２】
〔ディスク装置の動作〕
次に、上記一実施の形態のディスク装置１の動作を説明する。
【００４３】
まず、ディスク装置１に電力を供給する。この電力の供給により、冷却ファン１３が駆動する。
【００４４】
そして、例えば光ディスク２８に記録された情報を読み出す際には、まず化粧板５のスイッチ操作部５ｂを操作する。このスイッチ操作部５ｂの操作により、回路基板８１に設けられた図示しないスイッチが開閉し、回路基板８１の制御回路が開閉駆動手段７１の出入用電動モータ７５を駆動させる。この出入用電動モータ７５の駆動により、プーリ７６、駆動伝達プーリ７２、駆動伝達ギヤ７３および移動ギヤ７４が回転し、移動ギヤ７４に係合するディスクトレイ６１が化粧板５の窓部５ａから進出する方向に移動する。この移動の際、開閉駆動手段７１の移動カム７８も移動し、この移動カム７８に係合する回動案内部２２が下方に向けて回動し、台座部２１が下方に向けて回動され、本体部２０がディスクトレイ６１と干渉しないように待避する。
【００４５】
この進出したディスクトレイ６１の載置凹部６２ａに光ディスク２８を、この光ディスク２８の記録面を下方に向く状態で載置する。この後、再び化粧板５のスイッチ操作部５ｂを操作し、開閉駆動手段７１の出入用電動モータ７５を回転駆動させ、ディスクトレイ６１を窓部５ａ内に後退させる。このディスクトレイ６１の後退の際、下方に待避状態の本体部２０が台座部２１とともに移動カム７８に係合する回動案内部２２により上方に向けて移動される。この本体部２０の上方への回動により、ディスク回転駆動手段２５のターンテーブル２７の回転軸２７ａが光ディスク２８の軸孔２８ａに嵌挿する。さらに、ターンテーブル２７の磁石２９の磁力により、ターンテーブル２７と回転子５５との間に光ディスク２８が挟持固定される。
【００４６】
この状態で、回路基板８１の制御回路が本体部２０を制御し、ディスク回転駆動手段２５の回転用電動モータ２６にて回転される光ディスク２８に記録された情報を、移動手段３１にて適宜移動される再生手段４１の光センサにて読み取る。
【００４７】
このディスク装置１の動作の際、回路基板８１の制御回路を構成する電気部品８２が発熱する。この発熱した電気部品８２の熱は、放熱部材９１を介してケース体２の下ケース４に伝熱され、外気に露出する下ケース４から放熱される。
【００４８】
さらに、冷却ファン１３の駆動により、冷却ファン１３の吸気側であるダクト部１２が大気圧に対して負圧状態となる。このダクト部１２の負圧状態により、ダクト部１２に貫通孔８３を介して連通する風路室２ｂの特に軟質部材９２に囲まれた部分が負圧状態となる。この風路室２ｂの負圧状態により、ケース体２の隙間、特に下ケース４と化粧板５との隙間から、外気が吸気される。このように、吸気された外気は、図３および図４にも示すように、風路室２ｂの特に軟質部材９２に囲まれた部分を流通し、この風路室２ｂに臨む発熱する電気部品８２と接触する。この電気部品８２と接触した外気は、熱交換により電気部品８２を冷却する。そして、熱交換にて暖められた外気は、貫通孔８３を通ってダクト部１２に流通し、冷却ファン１３にて排気口３ｅから外気に排気風として排気される。
【００４９】
〔ディスク装置の効果〕
上述したように、上記実施の形態では、以下に示す作用効果を奏する。
【００５０】
すなわち、枠体１１に配設した本体部２０の動作を制御する制御回路を構成する電気部品８２を有した回路基板８１を、本体部２０を収容する機械室２ａと冷却ファン１３の吸気側が連通し外気が流通可能な風路室２ｂとをケース体２内に区画し、電気部品８２が風路室２ｂに臨む状態に配設する。このため、本体部２０側に塵埃が侵入することを防止しつつ、回路基板８１の電気部品８２を冷却ファン１３の駆動にて吸気され風路室２ｂを流通する外気と効率よく接触して冷却でき、回路基板８１の冷却効率を向上できる。
【００５１】
そして、軸方向の両端面が開口する筒状の枠体１１の一面側に開口を密閉する状態に回路基板８１を取り付ける。このため、本体部２０が配設される枠体１１に、塵埃による不具合の発生を防止するために本体部２０を覆う構成として回路基板８１を利用でき、別途設ける必要がなく、構造を簡略化でき、上下方向の寸法を小さくでき、製造性の向上および軽量小型化を容易に図ることができる。
【００５２】
また、熱伝導性を有した放熱部材９１を、回路基板８１の特に発熱量の多い電気部品８２に密着させるとともにケース体２の下ケース４の内面に密着させ、電気部品８２と下ケース４との間に介在させる。このため、電気部品８２が冷却ファン１３の駆動による空冷とともにケース体２を介して放熱され、放熱部材９１を設ける簡単な構成で冷却効率を向上でき、特に発熱量の多い電気部品８２でも十分に冷却できる。
【００５３】
さらに、回路基板８１に、特に発熱量が多い電気部品８２の位置より枠体１１に配設した冷却ファン１３の吸気側に近い位置に、冷却ファン１３の吸気側を風路室２ｂに連通させる貫通孔８３を開口形成する。このため、冷却ファン１３が枠体１１に組み付けられ、ディスク装置１の組立形成の際に枠体１１とともにケース体２内に組み付けでき、組立製造性を向上できるとともに、確実に冷却ファン１３の駆動により吸気された外気が電気部品８２に接触する状態を得ることができ、確実に電気部品８２を効率よく冷却できる。
【００５４】
また、枠体１１の本体部２０を支持する支持リブ１１ｃに連続して、先端縁が回路基板８１に密着して冷却ファン１３の吸気側および回路基板８１の貫通孔８３を本体部２０と隔離して囲むダクト部１２を設ける。このため、冷却ファン１３の駆動により吸気側に大気圧に対する負圧を効率よく発生でき、外気が風路室２ｂから貫通孔８３を介して良好に冷却ファン１３に吸気でき、電気部品８２を効率よく冷却できる。さらに、このダクト部１２は、支持リブ１１ｃに連続して設けるため、支持リブ１１ｃを利用して別途ダクト部１２の構成を設ける必要がなく、構造を簡略化でき、枠体１１の製造性の向上および軽量小型化が容易に図れる。また、ダクト部１２が回路基板８１に密着するため、がたつきも防止できる。
【００５５】
そして、回路基板８１とケース体２の内面との間に風路室２ｂを区画する状態に、貫通孔８３および電気部品８２を囲む状態で絶縁性を有した軟質部材９２を設ける。このため、冷却ファン１３の駆動により吸気される外気と電気部品８２との接触効率を向上でき、電気部品８２の冷却効率を向上できる。
【００５６】
また、放熱部材９１および軟質部材９２を設けたため、風路室２ｂの高さ寸法が確保でき、例えば下ケース４が変形して風路室２ｂがつぶれて外気の流通が損なわれるなどの不具合が生じることを防止できるとともに、がたつきなどを防止できる。
【００５７】
〔実施形態の変形〕
なお、本発明は、上述した一実施の形態に限定されるものではなく、本発明の目的を達成できる範囲で以下に示される変形をも含むものである。
【００５８】
すなわち、本発明のディスク装置１としては、光ディスク２８を対象とした構成に限らず、磁気ディスク、光磁気ディスクなど、光や磁気などにより情報を再生あるいは記録可能ないずれのディスクを対象とすることができる。
【００５９】
また、ディスク装置１として開閉駆動手段７１により移動するディスクトレイ６１を備えた構成について説明したが、例えばディスクトレイ６１を設けず、直接光ディスク２８を化粧板５の窓部５ａから挿入して、内部に配設した回転体などにより光ディスク２８の挿入および排出をする搬送装置を設けた構成や、ＭＤ（Mini Disk）などのようにケース内にディスクが回転自在に収容されたものを窓部５ａから直接挿入あるいは排出する構成、あるいはディスクなどを所定のケース内に収容し、このケースを挿入あるいは排出する構成、さらには開閉駆動手段７１も備えずケース体２が上ケース３により本体部２０の上方を開閉可能に覆う構成で、ディスクを所定の位置に装着した後にディスクを覆うように上ケース３を回動する構成など、いずれの構成でもできる。
【００６０】
そして、略箱状のケース体２内に枠体１１を包み込むように収容する構成について説明したが、枠体１１の一部がケース体２から露出する構成や枠体１１の一部にてケース体２を構成するように枠体１１の少なくとも一部がケース体２内に収容されて本体部２０が露出しないように覆う構成としたものでも適用できる。
【００６１】
また、回路基板８１により機械室２ａと風路室２ｂとを区画する構成について説明したが、例えば図５に示すように、図１ないし図４に示す実施の形態の枠体１１に本体部２０を回路基板８１側と区画する仕切などの区画壁９５が設けられた構成とし、この図５に示す枠体９６の下面側、すなわち区画壁９５の本体部２０が配設される側とは反対側の面に対向する側に回路基板８１を取り付ける構成としてもよい。なお、この回路基板８１の取付により、本体部２０が配設される本体部室２ａ１と区画壁９５および回路基板８１にて区画される空間２ａ２とにて機械室２ａが構成され、回路基板８１とケース体２とにて冷却ファン１３の吸気により外気が流通する風路室２ｂが構成される。
【００６２】
一方、軟質部材９２を設けて、特に発熱量が多い電気部品８２を冷却する構成について説明したが、軟質部材９２を設けず、風路室２ｂの略全体を外気が流通する構成とするなどしてもよい。また、この軟質部材９２は、下ケース４に取り付ける構成に限らず、回路基板に直接取り付ける構成としてもよい。
【００６３】
また、放熱部材９１を下ケース４に取り付けて説明したが、電気部品８２に直接取り付けたり、発熱量が大きくない場合には設けなくてもよい。
【００６４】
そして、ダクト部１２を支持リブ１１ｃに連続して設けたが、例えば支持リブ１１ｃにダクトフード部１２ｂのような別部材を取り付けてもできる。なお、別部材として軟質部材９２のような変形する部材を用いることにより、容易にダクトフード部１２ｂの構造を設けることができるとともに、回路基板８１との密着性も向上でき、外気に含まれる塵埃が確実に本体部２０を収容する機械室２ａ側に侵入することを防止でき、安定した動作が長期間に亘って得ることができる。なお、上記実施の形態のダクトフード部１２ｂの回路基板８１と密着する部分に軟質部材のような部材を設けることにより、密着性が向上するという同様の効果を得ることができる。
【００６５】
そして、冷却ファン１３を枠体１１，９６に組み付けて説明したが、いずれの位置に設けてもできる。なお、枠体１１，９６は、軽量化および補強などのための複数のリブ１４が設けられ、冷却ファン１３を組み付けるためのリブ１４の構造を有している。このため、上記実施の形態のように、冷却ファン１３を枠体１１，９６に組み付ける構成では、冷却ファン１３を組み付けるための構成が容易に得られるとともに、軽量化や補強などのためのリブ１４間の空間を有効利用できる。
【００６６】
【発明の効果】
本発明によれば、本体部を収容する機械室と冷却ファンの吸気側が連通する風路室とをケース体内に区画し、発熱部材が風路室に臨む状態に回路基板を配設するため、本体部側に塵埃が侵入することを防止しつつ、回路基板の発熱部材を風路室に流通する外気にて効率よく冷却でき、回路基板の冷却効率を向上できる。
【図面の簡単な説明】
【図１】本発明の一実施の形態に係るディスク装置の構成を示す分解斜視図である。
【図２】前記一実施の形態におけるディスク装置を示す一部を略した平面図である。
【図３】前記一実施の形態における外気の流通による冷却状態を説明する模式図である。
【図４】前記一実施の形態におけるディスク装置を示す一部を略した側面断面図である。
【図５】本発明の他の実施の形態に係るディスク装置を示す一部を略した側面断面図である。
【図６】従来例のディスク装置を示す一部を略した側面断面図である。
【符号の説明】
１    ディスク装置
２    ケース体
２ａ  機械室
２ｂ  風路室
１１，９６    枠体
１２    ダクト部
１３    冷却ファン
２０    本体部
２５    ディスク回転駆動手段
２８    ディスクである光ディスク
３１    移動手段
４１    再生手段
８１    回路基板
８２    発熱部材としての電気部品
８３    貫通孔
９１    放熱部材
９２    軟質部材
【図１】
0004355118.tif 000002
【図２】
0004355118.tif 000003
【図３】
0004355118.tif 000004
【図４】
0004355118.tif 000005
【図５】
0004355118.tif 000006
【図６】
0004355118.tif 000007